(57)【要約】      （修正有）【課題】樋門・樋管・機場の遠方管理システムにおいて、現地で監視している監視員と、遠方の管理者との情報伝達を簡易化し、誤操作を防ぐと共に、管理者が不在であっても情報通知を可能にするシステムを提供する。【解決手段】樋門や樋管を観測することを目的として設置した観測局から、各種センサーや監視カメラ等から収集した観測データを、樋門・樋管連絡装置により伝送回線を介して監視局に送信するように構成された樋門・樋管観測システムにおいて、連絡装置にボタンを設置し押下することによって音声入力を受けつける音声入力指示部と、入力された音声をＩＰ化し光伝送回線にて監視局へ伝送する音声信号伝送部と、監視局において受信した音声信号を任意の管理者へ転送するためのメ−ルゲートウエイを備える。【選択図】図１
2009177371.tif 000002
【特許請求の範囲】
【請求項１】
樋門や樋管を観測することを目的として設置した観測局から、各種センサーや監視カメラ等から収集した観測データを、樋門・樋管連絡装置により伝送回線を介して監視局に送信するように構成された樋門・樋管観測システムにおいて、
前記樋門・樋管連絡装置にボタンを設置し押下することによって音声入力を受けつける音声入力指示部と、
入力された音声をＶｏＩＰ技術によりＩＰ化し光伝送回線にて監視局へ伝送する音声信号伝送部と、
監視局において受信した音声信号を任意の管理者へ転送するためのメ−ルゲートウエイと、
を備えることを特徴とする樋門・樋管観測システム。
【請求項２】
前記メールゲートウエイは、受信した音声信号を電子メールの添付ファイルとし、音声メールとして任意の管理者にメール送信することを特徴とする請求項１に記載の樋門・樋管観測システム。
【発明の詳細な説明】
【技術分野】
【０００１】
本発明は、遠隔地に設置した観測局において各種センサーや監視カメラ等から収集した観測データを、インターネットもしくは直接伝送によって監視局に送信するように構成された遠隔監視システムに関する。特に、樋門・樋管・機場などの情報を観測局から監視局に送信するシステムに関する。
【背景技術】
【０００２】
我が国のように地形の起伏に富む国土においては、河川管理施設が公共投資額に占める割合が大きく、治水事業の効率性を高めることは極めて重要な課題となってきている。
【０００３】
そこで制水施設である樋門や樋管に関して、その管理システムの技術的整備が進められている。この種の監視システムにおいては、観測データの迅速且つ正確な送信が要求される。
【０００４】
従来の遠隔監視システムは、監視局と複数の観測局とを備え、監視局と各観測局にそれぞれＩＰ（インターネットプロトコル）アドレスを割り振って相互にＩＰネットワークを構築すると共に、各観測局とネットワーク接続された各種のセンサーにもそれぞれＩＰアドレスを割り振ってＩＰネットワークを構築し、観測局のセンサーに対する監視局からの観測要求と、センサーにより得られた観測データとを、それぞれＩＰパケットにより伝送するようにしたものがある（特許文献１参照）。
【０００５】
また、自動警報システムとして、例えばダムの監視などでは、危険な量と言える水位や時間雨量を設定し、これを超えた場合にアラームトリガーを起動し、自動的にメールやアラーム信号等のアラーム情報を携帯電話やモバイル端末の利用者に報知し、洪水等の危険を知らせるものがある（特許文献２参照）。
【０００６】
このように、遠隔地の観測データを、インターネットを介して送信する遠隔監視システムは、周知である。
【０００７】
【特許文献１】特開２００２―３０５７７６号公報
【特許文献２】特開２００２―３５０５５９号公報
【発明の開示】
【発明が解決しようとする課題】
【０００８】
しかしながら、従来技術の遠隔監視システムにおいては、インターネットなどを用いて観測データを自動で管理事務所に到達させる技術は発達してきているが、監視員を必要とする観測所における監視員の情報発信手段に関して、装置の操作を簡略化・効率化をさせるための技術は未熟であった。
【０００９】
つまり、いずれも監視員による連絡パネルの複雑な操作が必要であり、また、監視員から連絡を受ける管理事務所側に職員が待機している状態でなければ連絡が行えないという欠点があった。このため、例えば電子機器を苦手としている高齢者や障害者に監視をさせることが難しいという状況が発生していた。
【課題を解決するための手段】
【００１０】
前記課題を解決するために本発明は、樋門や樋管を観測することを目的として設置した観測局から、各種センサーや監視カメラ等から収集した観測データを、樋門・樋管連絡装置により伝送回線を介して監視局に送信するように構成された樋門・樋管観測システムにおいて、
前記樋門・樋管連絡装置にボタンを設置し押下することによって音声入力を受けつける音声入力指示部と、
入力された音声をＶｏＩＰ技術によりＩＰ化し光伝送回線にて監視局へ伝送する音声信号伝送部と、
監視局において受信した音声信号を任意の管理者へ転送するためのメ−ルゲートウエイと、
を備えることを特徴とする樋門・樋管観測システムとする。
【００１１】
また、前記メールゲートウエイは、受信した音声信号を電子メールの添付ファイルとし、音声メールとして任意の管理者にメール送信することを特徴とする樋門・樋管観測システムとする。
【発明の効果】
【００１２】
本発明によれば、音声信号を用いることによって、樋門や樋管や機場などの観測データを管理事務所に伝送する際の、観測員による操作卓の操作を簡略化でき、また、情報の伝送形式として音声メールの形式をとる事が可能であるため、管理事務所に職員が常時待機している必要がなくなる。
【００１３】
過去の水害を振り返ると、出水が夜半などに起こり操作員と監視員の連絡がスムーズに行えなかったことが原因である場合も多かったが、本発明により前記問題が解決されるため、このような原因による水害を未然に防ぐことができる。
【実施例】
【００１４】
本発明の最適な実施の形態について図を用いて説明する。
【００１５】
図１は本発明による樋門あるいは樋管の監視所における操作パネルを監視員が操作すること始点とし、管理所の管理員が情報を得るまでの処理フローチャートである。
【００１６】
監視員は樋門・樋管連絡ボックスと呼ぶ操作パネルを操作することによって管理事務所等の遠隔管理所に状況を報告する。本発明は状況報告に、従来のボタン操作のみではなく音声情報をも送ることを特徴としている。
【００１７】
前記操作パネルの音声入力指示部から監視員が音声にて状況説明を行い（Ｓ１０１）、デジタル信号に符号化し（Ｓ１０３）、送信部にてインターネットや直接伝送などで音声信号を送信し（Ｓ１０５）、管理所において前記音声信号を受信し（Ｓ１０７）、管理者が観測者の音声信号を直接聴取できなかった場合には、メールゲートウエイにて音声メールを作成し（Ｓ１０９）、管理者の端末にて前記音声メールを受信する（Ｓ１１１）。
【００１８】
観測所の操作パネルの一例を図２に示す。パネル上の２０１は従来から存在する状態連絡ボタン群である。樋門・樋管を全開にしたり、監視員の在籍を示すボタン等が並んでいる。
【００１９】
２０３は本発明にかかる音声入力指示部分であり、マイク入力ボタンを押すことによって、パネル内蔵のマイクロフォンや、パネルから接続ケーブルを介して接続したマイクロフォンから観測員が音声を入力する。
【００２０】
受信側である管理施設にはメールゲートウエイ２０５が設置されており、受信した符号化音声信号を音声メールの形式で管理者が有するコンピュータ２０７に転送する。
【００２１】
本発明によれば、樋管・樋門管理システムにおいて、監視員は複雑な操作をすることなく、音声入力のみで管理者に状況を通知することが可能となり、高齢者や操作パネルの操作に不慣れな人員であっても監視業務を遂行することが可能となる。
【００２２】
なお、本発明において用いる音声符号化方式は特定の１方式に限定しない。また、メールサーバーから管理者コンピュータへの音声メールの転送については、音声そのものをメール化する手段のみではなく、音声ファイルを添付した通常メールの形式でも良い。また、管理者の受信手段としては、コンピュータ装置のみに限定せず、メール受信機能を備えたモバイル端末でも良い。
【図面の簡単な説明】
【００２３】
【図１】本発明にかかる処理手順
【図２】操作パネルの一例
【符号の説明】
【００２４】
２０１…従来の操作ボタン、  ２０３…本発明にかかる音声操作部、
２０５…メールゲートウエイ、  ２０７…管理ＰＣ
【図１】
2009177371.tif 000003
【図２】
2009177371.tif 000004